(57)【特許請求の範囲】
【請求項１】
中継機器により第１通信回線を使用する第１通信電話機と第２通信回線を使用する第２通信電話機とを通話可能に接続する電話中継装置であって、中継機器には第１通信回線を使用する第１通信中継電話機、第２通信回線を使用する第２通信中継電話機、中継制御部、中継を実行する電話番号の記録された中継実行データベースのそれぞれを備え、第１通信電話機が第１通信中継電話機の電話番号を発信して、この発信元である第１通信電話機と第１通信中継電話機とが第１通信回線で接続されると、この第１通信中継電話機が第１通信回線の接続を維持したまま発信元である第１通信電話機の電話番号を中継制御部に転送し、中継制御部は発信元である第１通信電話機の電話番号が中継実行データベースに記録されているかいないかを検索し、第１通信中継電話機から中継制御部に転送されてきた発信元である第１通信電話機の電話番号が中継実行データベースに記録されていない場合は中継制御部が何もしないか又は中継することができないことを返信するように第１通信中継電話機を制御し、発信元である第１通信電話機の電話番号が中継実行データベースに記録されている場合は中継制御部が第１通信中継電話機を返信の動作をするように制御し、この制御により第１通信中継電話機が通信をしようとする相手先の電話番号を発信するように第１通信回線に繋がっている発信元である第１通信電話機に返信し、その返信を受信した発信元である第１通信電話機が通話をしようとする相手先である第２通信電話機の電話番号を第１通信回線を経由して第１通信中継電話機に送信して、その第１通信中継電話機が相手先として受信した第２通信電話機の電話番号を中継制御部に転送し、中継制御部が第２通信中継電話機を発信の動作をするように制御し、この制御により第２通信中継電話機が発信元である第１通信電話機の電話番号を第２通信回線に発信することなく自分の電話番号と相手先である第２通信電話機の電話番号とを第２通信回線に発信して、第１通信電話機と第２通信電話機とが通話可能に接続されることを特徴する電話中継装置。
【請求項２】
中継機器には中継履歴データベースを備え、第１通信電話機から第２通信電話機への通話が可能なように接続されることにより中継制御部が中継履歴データベースに第１通信電話機から第２通信電話機への中継履歴情報を記録した状態において、第２通信電話機が第２通信中継電話機の電話番号を発信して、第２通信中継電話機と第２通信電話機とが第２通信回線で接続されると、第２通信中継電話機が第２通信回線の接続を維持したまま第２通信電話機の電話番号を中継制御部に転送し、中継制御部が第２通信回電話機の電話番号が中継履歴データベースに記録されているかいないかを検索し、第２通信中継電話機から中継制御部に転送されてきた電話番号が非通知か又は中継履歴データベースに記録されていない場合は、中継制御部が何もしないか又は第１通信電話機電話機のあらかじめ中継制御部に設定された電話番号に発信するように第１通信中継電話機を発信の動作をするように制御するか又は中継することができないことを返信するように第１通信中継電話機を制御し、第２通信中継電話機から中継制御部に転送されてきた電話番号が中継履歴データベースに記録されている場合は中継制御部が中継履歴データベースの記録に基づき第１通信中継電話機を発信の動作をするように制御ことにより第１通信中継電話機が中継履歴データベースに記録された中継履歴情報による第１通信電話機の電話番号を第１通信回線に発信し、その発信を受信した第１通信電話機が第２通信電話機の電話番号を音声又は表示で知らせるようにすることを特徴とする請求項１記載の電話中継装置。
【発明の詳細な説明】
【技術分野】
【０００１】
本発明は、中継機器により第１通信回線を使用する電話機と第２通信回線を使用する電話機とを通話可能に接続する電話中継装置に関する。
【背景技術】
【０００２】
図１５を参照し、特許文献１で開示された転送機能を有する電話機について説明する。電話機を操作する人が、操作部４１を操作して、転送したい人の電話番号を転送したい人の電話番号メモリー部４２に登録し、かつ、転送先の電話番号を転送先電話番号メモリー部４３に登録する。その後、電話機の制御部４４が着信を検出して転送モード処理を開始すると、ステップ３０１において制御部４４が転送したい人の電話番号メモリー部４２を検索する。そして、着信した電話番号が転送したい人の電話番号メモリー部４２に登録されていなければ、制御部４４によるステップ３０２での転送かどうかの判断がＮＯとなり、転送の処理を終了する。上記着信した電話番号が転送したい人の電話番号メモリー部４２に登録されていれば、上記制御部４４によるステップ３０２での転送かどうかの判断がＹＥＳとなり、ステップ３０３に進む。ステップ３０３では、制御部４４が転送先電話番号メモリー部４３を検索して転送先の電話番号を転送先電話番号メモリー部４３から抽出し、ステップ３０４に進む。ステップ３０４では、制御部４４が転送先の電話番号に上記着信を転送して転送の処理を終了する。このように特許文献１で開示された転送機能を有する電話機は、転送したい人の電話番号メモリー部４２に登録されている特定の相手からの電話だけを転送するようになっている。しかしながら、転送機能を有する電話機に電話をかけてきた人が電話番号を転送先に通知したくなくても、転送機能を有する電話機に着信した電話番号つまり発信者の電話番号が転送先である着信者に通知されてしまうという欠点がある。
【先行技術文献】
【特許文献】
【０００３】
【特許文献１】特開平６−１４１０６７号公報
【発明の概要】
【発明が解決しようとする課題】
【０００４】
本発明は、上記背景技術に鑑みてなされたものであり、発信元の電話番号が相手先に通知されないようにして発信者のセキュリティを守ることを目的とする。
【課題を解決するための手段】
【０００５】
本発明は、中継機器により第１通信回線を使用する第１通信電話機と第２通信回線を使用する第２通信電話機とを通話可能に接続する電話中継装置であって、中継機器には第１通信回線を使用する第１通信中継電話機、第２通信回線を使用する第２通信中継電話機、中継制御部、中継を実行する電話番号の記録された中継実行データベースのそれぞれを備え、第１通信電話機が第１通信中継電話機の電話番号を発信して、この発信元である第１通信電話機と第１通信中継電話機とが第１通信回線で接続されると、この第１通信中継電話機が第１通信回線の接続を維持したまま発信元である第１通信電話機の電話番号を中継制御部に転送し、中継制御部は発信元である第１通信電話機の電話番号が中継実行データベースに記録されているかいないかを検索し、第１通信中継電話機から中継制御部に転送されてきた発信元である第１通信電話機の電話番号が中継実行データベースに記録されていない場合は中継制御部が何もしないか又は中継することができないことを返信するように第１通信中継電話機を制御し、発信元である第１通信電話機の電話番号が中継実行データベースに記録されている場合は中継制御部が第１通信中継電話機を返信の動作をするように制御し、この制御により第１通信中継電話機が通信をしようとする相手先の電話番号を発信するように第１通信回線に繋がっている発信元である第１通信電話機に返信し、その返信を受信した発信元である第１通信電話機が通話をしようとする相手先である第２通信電話機の電話番号第１通信回線を経由して第１通信中継電話機に送信されて、その第１通信中継電話機が相手先として受信した第２通信電話機の電話番号を中継制御部に転送し、中継制御部が第２通信中継電話機を発信の動作をするように制御し、この制御により第２通信中継電話機が発信元である第１通信電話機の電話番号を第２通信回線に発信することなく自分の電話番号と相手先である第２通信電話機の電話番号とを第２通信回線に発信して、第１通信電話機と第２通信電話機とが通話可能に接続されることを特徴する。
【発明の効果】
【０００６】
本発明は、第１通信電話機から第２通信電話機に電話が掛けられると、中継機器の制御により発信元である第１通信電話機の電話番号が相手先に送信されることはなく、第２通信中継電話機の電話番号が発信元の電話番号として相手先である第２通信電話機に送信されるので発信元の電話番号が相手先に通知されることがなく、発信者のセキュリティを守ることができるうえ、中継実行データベースに記録されている電話番号以外の不正利用を防止することができる。中継機器には中継履歴データベースを備え、第１通信電話機から第２通信電話機への通話が可能なように接続されることにより中継制御部が中継履歴データベースに第１通信電話機から第２通信電話機への中継履歴情報を記録した状態において、第２通信電話機が第２通信中継電話機の電話番号を発信して、第２通信中継電話機と第２通信電話機とが第２通信回線で接続されると、第２通信中継電話機が第２通信回線の接続を維持したまま第２通信電話機の電話番号を中継制御部に転送し、中継制御部が第２通信電話機の電話番号が中継履歴データベースに記録されているかいないかを検索し、第２通信中継電話機から中継制御部に転送されてきた電話番号が非通知か又は中継履歴データベースに記録されていない場合は、中継制御部が何もしないか又は第１通信電話機のあらかじめ中継制御部に設定された電話番号に発信するように第１通信中継電話機を発信の動作をするように制御するか又は中継することができないことを返信するように第１通信中継電話機を制御し、第２通信中継電話機から中継制御部に転送されてきた電話番号が中継履歴データベースに記録されている場合は中継制御部が中継履歴データベースの記録に基づき第１通信中継電話機を発信の動作をするように制御することにより第１通信中継電話機が中継履歴データベースに記録された中継履歴情報による第１通信電話機の電話番号を第１通信回線に発信し、その発信を受信した第１通信電話機が第２通信電話機の電話番号を音声又は表示で知らせるようにすれば、第２通信電話機から第１通信電話機に掛かってきた電話に当該第１通信電話機を所持する人が応答するかしないかの選択ができる。
【図面の簡単な説明】
【０００７】
【図１】実施形態１の電話中継装置を示す構成図。
【図２】実施形態１の中継機器を示す構成図。
【図３】実施形態１の中継実行データベースを示す図表。
【図４】実施形態１の第１携帯電話機から第６携帯電話機に電話を掛けた場合の中継処理を示すフローチャート。
【図５】実施形態１の第１携帯電話機に対する中継履歴データベースを示す図表。
【図６】実施形態１の第２携帯電話機に対する中継履歴データベースを示す図表。
【図７】実施形態１の第６携帯電話機から第１携帯電話機に電話を掛けた場合の中継処理を示すフローチャート。
【図８】実施形態１の構築設定手段を示す構成図。
【図９】実施形態２の中継機器を示す構成図。
【図１０】実施形態３の中継機器を示す構成図。
【図１１】実施形態４の電話中継装置を示す構成図。
【図１２】実施形態５の電話中継装置を示す構成図。
【図１３】実施形態６の電話中継装置を示す構成図。
【図１４】実施形態７の電話中継装置を示す構成図。
【図１５】従来の転送機能を有する電話機を示す構成図。
【発明を実施するための形態】
【０００８】
「実施形態１」
図１を参照し、実施形態１に係る電話中継装置について説明する。第１携帯電話機１は、第１通信回線７を使用する第１通信電話機であって、その電話番号を「０９００１２３４５６７」とする。第２携帯電話機２は、第１通信回線７を使用する第１通信電話機であって、その電話番号を「０９００１２３４５６８」とする。第３携帯電話機３は、第１通信回線７を使用する第１通信電話機であって、その電話番号を「０９００１２３４５６９」とする。第１乃至第３携帯電話機１乃至３は、通常に市販される携帯電話機と同じ構成である。第１通信回線７を使用する電話機としては、第１乃至第３携帯電話機１乃至３以外の図外の携帯電話機も適用可能である。第１通信回線７は携帯電話機に対応する携帯通信回線になっている。
【０００９】
第１乃至第３携帯電話機１乃至３が、第１通信回線７を使用するグループを構成する。以下、第１通信回線７を使用するグループを、第１通信回線グループ８と表記する。例えば、第１通信回線グループ８が家族グループである場合、第１携帯電話機１を父が所持し、第２携帯電話機２を母が所持し、第３携帯電話機３を子が所持すると仮定する。第１通信回線７を使用するグループは、１つだけでなく、複数のグループであっても適用できる。例えば、会社などにおいて、第１通信回線グループ８が、総務グループ、営業グループ、技術グループなどのように職場グループに分かれていても適用可能である。第１通信回線グループ８が家族グループの場合は中継機器９が自宅に設置され、第１通信回線グループ８が職場グループに分けられている場合は中継機器９が会社に設置されるというように、又は、通信会社に設置されるというように、中継機器９は宅内機器である。なお、中継機器９は、持ち運び可能な携帯型の電話機の構成でもよいし、特定場所に設置して使用される加入電話機の構成でもよい。
【００１０】
中継機器９は、第４携帯電話機４、第５携帯電話機５、中継制御部１０、中継実行データベース１１、中継履歴データベース１２、回線構築データベース１３を備える。第４携帯電話機４は、第１通信回線７を使用する第１通信中継電話機であって、その電話番号を「０９００１２３４５６０」とする。第５携帯電話機５は、第２通信回線１４を使用する第２通信中継電話機であって、その電話番号を「０８０８７２０００００」とする。第４携帯電話機４及び第５携帯電話機５は、通常に市販される携帯電話機と同様の構成でも、通常に市販される携帯電話機からスピーカーとマイク及びディスプレイ２７を除去した構成でもよい。
【００１１】
また、第４携帯電話機４に相当する電気部品の集合体として構成された第４携帯電話機能部及び第５携帯電話機５に相当する電気部品の集合体として構成された第５携帯電話機能部が中継機器９の容器に一体に組み込まれた構成でもよい。第２通信回線１４を使用する第２通信電話機として第６携帯電話機６を例示し、その電話番号を「０８０８７２００００１」とする。第６携帯電話機６は、第１通信回線グループ８に所属する第１乃至第３携帯電話機１乃至３から通話をしようとする相手先の携帯電話機であるので、第１通信回線グループ８に所属する第１乃至第３携帯電話機１乃至３に対して外部の携帯電話機と概念することでき、通常に市販される携帯電話機と同じ構成である。第２通信回線１４は携帯電話機に対応する携帯通信回線になっている。
【００１２】
なお、第１乃至第４携帯電話機１乃至４は同じ通信事業者と通信契約が成された電話機であり、第５携帯電話機５及び第６携帯電話機６は第１乃至第４携帯電話機４の通信事業者と違う通信事業者と通信契約が成された電話機であり、第５携帯電話機５と第６携帯電話機６とは互いに別々の通信事業者と通信契約が成された電話機又は互いに同じ通信事業者と通信契約が成された電話機である。中継制御部１０については図２で詳述し、中継実行データベース１１ついては図３で詳述し、中継履歴データベース１２については図５と図６とで詳述する。回線構築データベース１３については図８で詳述する。
【００１３】
図２において、例えば、中継機器９の中継実行データベース１１には中継を実行する電話番号として第１乃至第３携帯電話機１乃至３の電話番号が記録されており、第１乃至第３携帯電話機１乃至３のいずれか１つを所持する人が電話を掛ける場合について説明する。先ず、第１乃至第３携帯電話機１乃至３のいずれか１つを所持する人が第１乃至第３携帯電話機１乃至３のいずれか１つに第４携帯電話機４の電話番号を入力して当該第１乃至第３携帯電話機１乃至３のいずれか１つを発信するように操作すると、第４携帯電話機４の電話番号を発信するとともに、発信元である第１乃至第３携帯電話機１乃至３のいずれか１つの電話番号も発信する。そして、第４携帯電話機４と発信元である第１乃至第３携帯電話機１乃至３のいずれか１つとが第１通信回線７で接続されると、第４携帯電話機４が第１通信回線７の接続を維持したまま第１乃至第３携帯電話機１乃至３のうちの発信元の電話番号を中継制御部１０に転送する。すると、中継制御部１０は第１乃至第３携帯電話機１乃至３のうちの発信元の電話番号が中継実行データベース１１に記録されているかいないかを検索する。
【００１４】
この場合、第１乃至第３携帯電話機１乃至３のうちの発信元の電話番号が中継実行データベース１１に記録されているので、中継制御部１０は第４携帯電話機４に対し、返信の動作をするように制御する。この制御により第４携帯電話機４が、通信をしようとする相手先の電話番号を発信するように、第１通信回線７に繋がっている第１乃至第３携帯電話機１乃至３のうちの発信元に返信する。その返信を受信した発信元である第１乃至第３携帯電話機１乃至３のいずれか１つを所持する人が通話をしようとする相手先である第６携帯電話機６の電話番号を発信すると、第６携帯電話機６の電話番号が第１通信回線７を経由して第４携帯電話機４に送信される。そして、第４携帯電話機４が相手先として受信した第６携帯電話機６の電話番号を中継制御部１０に転送すると、中継制御部１０が第５携帯電話機５を発信の動作をするように制御する。この制御により第５携帯電話機５が自分の電話番号と相手先である第６携帯電話機６の電話番号とを第２通信回線１４に発信する。
【００１５】
よって、上記第６携帯電話機６に通話をしようとする第１乃至第３携帯電話機１乃至３のうちの発信元の電話番号が第６携帯電話機６に送信されることはなく、第５携帯電話機５の電話番号が発信元の電話番号として第６携帯電話機６に送信されるので、発信元の電話番号が相手先に通知されることがなく、発信者のセキュリティを守ることができるうえ、中継実行データベース１１に記録されている電話番号以外の不正利用を防止することができる。
【００１６】
そして、第６携帯電話機６を所持する人が第６携帯電話機６をオフフックすることにより、発信元である第１乃至第３携帯電話機１乃至３のいずれか１つと第６携帯電話機６とが中継機器９と第１通信回線と第２通信回線とを経由して通話可能に接続される。上記のように第６携帯電話機６を所持する人が第６携帯電話機６をオフフックした信号が第２通信回線１４から第５携帯電話機５を経由して中継制御部１０に入力されると、中継制御部１０は中継履歴データベース１２に第１乃至第３携帯電話機１乃至３から第６携帯電話機６への中継履歴情報を記録する。その後、発信元である第１乃至第３携帯電話機１乃至３のいずれか１つと第６携帯電話機６との通話が終了し、いずれか一方の携帯電話機からのオンフック信号が中継制御部１０に入力されると、中継制御部１０が第４携帯電話機４と第５携帯電話機５とをオンフックするように制御する。これにより、第１乃至第３携帯電話機１乃至３のいずれか１つから第６携帯電話機６への通話が終了する。
【００１７】
なお、上記第４携帯電話機４から中継制御部１０に転送されてきた発信元である第１乃至第３携帯電話機１乃至３の電話番号が中継実行データベース１１に記録されていない場合は、中継制御部１０は何もしないか又は中継することができないことを返信するように第４携帯電話機４を制御する。中継制御部１０が何もしない場合は、発信元である第１乃至第３携帯電話機１乃至３のいずれか１つには呼び出し中であることを知らせる呼出音又は通話中であることを知らせる通話音が通知される。つまり、第１乃至第３携帯電話機１乃至３以外で電話番号が中継実行データベース１１に記録されていない第１通信回線７を使用する電話機の電話番号が第４携帯電話機４から中継制御部１０に転送されてきた場合、当該中継制御部１０に転送されてきた電話番号が中継実行データベース１１に記録されていないので、中継制御部１０が中継することができないことを返信する。その返信を行った場合は、発信元である第１乃至第３携帯電話機１乃至３のいずれか１つには中継することができないことを表す音声が発信元である第１乃至第３携帯電話機１乃至３のいずれか１つに設けられた図外のスピーカーから放出されるか又は中継することができないことを表す文字又は記号が発信元である第１乃至第３携帯電話機１乃至３のいずれか１つに設けられた図外のディスプレイに表示される。
【００１８】
図１の電話中継装置では、第１乃至第５携帯電話機１乃至５が携帯電話機で構成されているので、引越しによる電話番号の変更が必要ないという利点がある。
【００１９】
また、近年、携帯電話による通信回線を運営する移動体通信事業では、同一の通信事業者間、家族間、社員間、指定通話先への通話について２４時間通話無料のサービスを提供している。また、一部の通信事業者は１ヶ月に１０分間のような一定時間以内、数百数回のような一定回数以内であれば経営母体の異なる通信事業者の運営する通信回線を利用した通話について、時間帯制限なく通話できるサービスが提供されている。よって、図１に示すように、中継機器９に第１通信回線７を使用する第４携帯電話機４と第２通信回線１４を使用する５携帯電話機５とを備え、第１通信回線グループを構成する第１乃至第３携帯電話機１乃至３から第２通信回線１４を使用する外部の電話機としての第６携帯電話機に通話を行うために回線を接続する場合、第１通信回線７が２４時間通話無料のサービスを提供している通信事業者の運営する通信回線とし、第２通信回線１４が１ヶ月に一定時間以内又は一定回数以内であれば時間帯制限なく通話できるサービスを提供する経営母体の異なる通信事業者の運営する通信回線とすれば、通話料金が無料になるという利点がある。この場合、少なくとも第１通信回線７を運営する通信事業者と第２通信回線１４を運営する通信事業者との双方に対する通信契約が必要となり、中継機器９に第４携帯電話機４と第５携帯電話機５と用いた通信契約における基本料金が掛かるが、家族グループ又は職場グループのようにグループ分けされた第１乃至第３携帯電話機１乃至３のように複数の携帯電話機で第４携帯電話機４と第５携帯電話機５とを利用することにより、上記基本料金を上記複数の携帯電話機の個数で割り算することにより、１個の携帯電話機で上記基本料金を負担するよりも、安くなるという利点がある。
【００２０】
次に、上記のように第１乃至第３携帯電話機１乃至３のいずれか１つから第６携帯電話機６への通話を終了した履歴が中継機器９に記録された状態において、第６携帯電話機６を所持する人が第１乃至第３携帯電話機１乃至３のいずれか１つに電話を掛ける場合について説明する。先ず、第６携帯電話機６を所持する人がリダイヤル操作又は電話番号を直接入力することにより、第６携帯電話機６から第５携帯電話機５の電話番号を発信すると、第５携帯電話機５と第６携帯電話機６とが第２通信回線１４により接続され第５携帯電話機５には第６携帯電話機６の電話番号が通知され、第５携帯電話機５が第２通信回線１４の接続を維持したまま第６携帯電話機６の電話番号を中継制御部１０に転送する。すると、中継制御部１０は第６携帯電話機６の電話番号が中継履歴データベース１２に記録されているかいないかを検索する。
【００２１】
第５携帯電話機５から転送されてきた電話番号が非通知か又は中継履歴データベース１２に記録されていない場合は、中継制御部１０は第１乃至第３携帯電話機１乃至３のいずれか１つのあらかじめ中継制御部１０に設定された電話番号に発信するように第４携帯電話機４を発信の動作をするように制御する、あるいは、何もしないか、または通話中であることを第６携帯電話機６に知らせる通話音を通知する。
【００２２】
一方、第６携帯電話機６の電話番号が中継履歴データベース１２に記録されている場合は、中継制御部１０は中継履歴データベース１２の記録に基づき第４携帯電話機４に対し発信の動作をするように制御する。この制御により第４携帯電話機４が中継履歴データベース１２の記録されている第１乃至第３携帯電話機１乃至３のいずれか１つの電話番号と第６携帯電話機６の電話番号及び第４携帯電話機４の電話番号を第１通信回線７に発信する。
【００２３】
そして、上記発信を受信した第１乃至第３携帯電話機１乃至３のいずれか１つが第６携帯電話機６の電話番号を音声又は表示で知らせる。このとき、この第６携帯電話機６の電話番号に対応する名前が上記第１乃至第３携帯電話機１乃至３のいずれか１つの電話帳メモリー部に記録されている場合には、第６携帯電話機６の電話番号の報知に代えて第６携帯電話機６を操作する人の名前を上記音声又は表示で知らせることも考えられる。上記のように少なくとも、第６携帯電話機６の電話番号を音声又は表示で知らせるようにすれば、第６携帯電話機６としての第２通信回線１４を使用する電話機から第１乃至第３携帯電話機１乃至３としての第１通信回線７を使用する電話機に掛かってきた電話に当該第１通信回線７を使用する第１乃至第３携帯電話機１乃至３を所持する人が応答するかしないかの選択ができる。
【００２４】
報知を確認した第１乃至第３携帯電話機１乃至３のいずれか１つを所持する人が当該第１乃至第３携帯電話機１乃至３のいずれか１つをオフフックすることにより、第６携帯電話機６と第１乃至第３携帯電話機１乃至３のいずれか１つとが中継機器９と第１通信回線７及び第２通信回線１４を経由して通話可能となる。その後、上記第１乃至第３携帯電話機１乃至３のいずれか１つと第６携帯電話機６との通話が終了し、何れか一方の携帯電話機からのオンフック信号が中継制御部１０に入力されることにより、中継制御部１０が第４携帯電話機４と第５携帯電話機５とをオンフックするように制御する。これにより、第６携帯電話機６から第１乃至第３携帯電話機１乃至３のいずれか１つへの通話が終了する。
【００２５】
図２を参照し、中継機器９について説明する。中継制御部１０は、ＣＰＵ１６、ＲＯＭ１７、ＲＡＭ１８、第１送受信制御手段１９、第２送受信制御手段２０、回線構築設定手段２１を備える。ＣＰＵ１６は、ＲＯＭ１７に格納されたコンピュータプログラムにしたがいＲＡＭ１８に記録されている情報と中継実行データベース１１に記録されている情報及び中継履歴データベース１２に記録されている情報及び回線構築データベース１３に記録されている情報を使用しながら動作して第４携帯電話機４と第５携帯電話機５を制御するものである。第１送受信制御手段１９、第２送受信制御手段２０、回線構築設定手段２１は、ＣＰＵ１６の動作で具現化される。
【００２６】
図３を参照し、中継実行データベース１１について説明する。中継実行データベース１１には、第１グループ、第２グループ、第３グループなど、第１通信回線７を使用することを許可する携帯電話機の電話番号が複数個のグループごとに分かれて記録されている。例えば、第１グループには、第１携帯電話機１の電話番号「０９００１２３４５６７」、第２携帯電話機２の電話番号「０９００１２３４５６８」、第３携帯電話機３の電話番号「０９００１２３４５６９」などが第１グループとして第１通信回線７を使用することを許可する電話番号として記録され、第２グループには図外の携帯電話機の電話番号「０９００１２３４５６６」や「０９００１２３４５６５」などが第２グループとして第１通信回線７を使用することを許可する電話番号として記録され、第３グループには図外の携帯電話機の電話番号「０９００１２３４５６４」などが第３グループとして第１通信回線７を使用することを許可する電話番号として記録されている。
【００２７】
図４を参照し、実施形態１の第１携帯電話機１から第６携帯電話機６に電話を掛ける場合の中継処理について説明する。ステップ１０１では、第１携帯電話機１が第４携帯電話機４の電話番号を発信して、第１携帯電話機１と第４携帯電話機４とが第１通信回線７で接続され、第４携帯電話機４が第１通信回線７の接続を維持したまま第１携帯電話機１の電話番号を中継制御部１０に転送し、ステップ１０２に進む。
【００２８】
ステップ１０２では、中継制御部１０が中継するかしないかを判断する。つまり、ステップ１０２において、第１送受信制御手段１９は第１携帯電話機１の電話番号が中継実行データベース１１に記録されているかいないかを検索する。その検索の結果、第１携帯電話機１の電話番号が中継実行データベース１１に記録されていなければ、ステップ１０２がＮＯとなり、中継処理を終了する。上記検索の結果、第１携帯電話機１の電話番号が中継実行データベース１１に記録されていれば、ステップ１０２がＹＥＳとなり、ステップ１０３に進む。具体的には、第１携帯電話機１の電話番号「０９００１２３４５６７」が図３に示すように中継実行データベース１１に記録されているので、ステップ１０２がＹＥＳとなり、ステップ１０３に進む。
【００２９】
図４に戻り、ステップ１０３では、第１送受信制御手段１９が第４携帯電話機４に対し返信の動作をするように制御し、第４携帯電話機４が通信をしようとする相手先の電話番号（この場合、第６携帯電話機６の電話番号）を発信するように第１通信回線７に繋がっている第１携帯電話機１に返信し、ステップ１０４に進む。ステップ１０４では、第１携帯電話機１が通信をしようとする相手先である第６携帯電話機６の電話番号を第１通信回線７を使用して第４携帯電話機４に送信し、第４携帯電話機４が受信した相手先の電話番号（第６携帯電話機の電話番号）を中継制御部１０に転送し、ステップ１０５に進む。
【００３０】
ステップ１０５では、第２送受信制御手段２０が第５携帯電話機５に対して発信の動作をするように制御し、第５携帯電話機５が通信をしようとする相手先である第６携帯電話機６の電話番号及び第５携帯電話機５の電話番号を第６携帯電話機６に発信し、第５携帯電話機５と第６携帯電話機６とが第２通信回線１４で接続される。このように第６携帯電話機６には通信をしようとする発信元である第１携帯電話機１の電話番号と第４携帯電話機４の電話番号とが通知されることがなく、発信者のセキュリティを守ることができ、ステップ１０６に進む。
【００３１】
ステップ１０６では、第６携帯電話機６がオフフックして、第１携帯電話機１と第６携帯電話機６とが中継機器９と第１通信回線７及び第２通信回線１４を経由して通話可能となり、上記第６携帯電話機６のオフフック信号が第２通信回線１４から第５携帯電話機５を経由して中継制御部１０に入力され、第２送受信制御手段２０が中継履歴データベース１２に中継履歴情報を記録し、ステップ１０７に進む。
【００３２】
ステップ１０７では、中継制御部１０が切断するかしないかを判断する。つまり、ステップ１０７において、第１送受信制御手段１９が第１携帯電話機１からオンフック信号が入力されていないと判断しかつ第２送受信制御手段２０が第６携帯電話機６からオンフック信号が入力されていなと判断している場合は、第１携帯電話機１と第６携帯電話機６とによる通話可能な状態が継続しているので、ステップ１０７がＮＯとなり、ステップ１０６に戻る。
【００３３】
逆に、ステップ１０７において、第１送受信制御手段１９が第１携帯電話機１からオンフック信号が入力されたと判断するか又は第２送受信制御手段２０が第６携帯電話機６からオンフック信号が入力されたと判断した場合は、第１携帯電話機１と第６携帯電話機６とによる通話可能な状態が終了したので、ステップ１０７がＹＥＳとなり、第１送受信制御手段１９が第４携帯電話機４をオンフックするように制御し、第２送受信制御手段２０が第５携帯電話機５をオンフックするように制御する。これにより、第１携帯電話機１と第６携帯電話機６との通信回線が切断し、第１携帯電話機１と第６携帯電話機６との通話が終了する。
【００３４】
図５を参照し、第１携帯電話機１に対する中継履歴データベース１２について説明する。中継履歴データベース１２の発信者の欄には、第１携帯電話機１の電話番号「０９００１２３４５６７」が記録されている。そして、中継履歴データベース１２の発信日時の欄には第１携帯電話機１から相手先に発信した日時が記録され、中継履歴データベース１２の相手先の欄には第１携帯電話機１から通話を行った相手先の電話番号が記載されている。図５に示す中継履歴データベース１２からは、第１携帯電話機１が受信日時「２０１０年９月１日１０時０５分」に相手先「０８０８７２００００２」に通話をしたこと、また、受信日時「２０１０年９月１日１１時４０分」に相手先「０８０８７２００００１」に通話をしたが記載されている。
【００３５】
図６を参照し、第２携帯電話機２に対する中継履歴データベース１２について説明する。中継履歴データベース１２の発信者の欄には、第２携帯電話機２の電話番号「０９００１２３４５６８」が記録されている。そして、中継履歴データベース１２の発信日時の欄には第２携帯電話機２から相手先に発信した日時が記録され、中継履歴データベース１２の相手先の欄には第２携帯電話機２から通話を行った相手先の電話番号が記載されている。図６に示す中継履歴データベース１２からは、第２携帯電話機２が受信日時「２０１０年８月２５日１０時０５分」に相手先「０８０８７２００００３」に通話をしたこと、また、受信日時「２０１０年９月１日１１時３５分」に相手先「０８０８７２００００１」に通話をしたが記載されている。
【００３６】
図７を参照し、実施形態１の第１乃至第３携帯電話機１乃至３のいずれか１つから第６携帯電話機６への通話を終了した履歴が中継履歴データベース１２に存在する状態において、第６携帯電話機６から第１携帯電話機１に電話を掛ける場合の中継処理について説明する。ステップ２０１では、第６携帯電話機６が第５携帯電話機５の電話番号を発信し、第５携帯電話機５と第６携帯電話機６とが第２通信回線１４を使用して接続され、第５携帯電話機５が第２通信回線１４の接続を維持したまま第６携帯電話機６の電話番号を中継制御部１０に転送し、ステップ２０２に進む。
【００３７】
ステップ２０２では、中継制御部１０が中継するかしないかを判断する。つまり、ステップ２０２において、第２送受信制御手段２０は第６携帯電話機６の電話番号が中継履歴データベース１２に記録されているかいないかを検索する。その検索の結果、第６携帯電話機６の電話番号が中継履歴データベース１２に記録されていなければ、ステップ２０２がＮＯとなり、中継処理を終了する。上記検索の結果、第６携帯電話機６の電話番号が中継履歴データベース１２に記録されていれば、ステップ２０２がＹＥＳとなり、ステップ２０３に進む。
【００３８】
具体的には、第６携帯電話機６の電話番号「０８０８７２００００１」が図５及び図６に示すように複数個の中継履歴データベース１２に記録されている場合、第２送受信制御手段２０は、例えば、最近の受信日時を選択し、その最近の受信日時の記録された中継履歴データベース１２の発信者の欄の電話番号を通話をしようとする相手先の電話番号として特定する。例えば、図５に示す中継履歴データベース１２からは第６携帯電話機６の電話番号「０８０８７２００００１」が受信日時「２０１０年９月１日１１時４０分」に第１携帯電話機１と通信を行ったことが分かり、図６に示す中継履歴データベース１２からは第６携帯電話機６の電話番号「０８０８７２００００１」が受信日時「２０１０年９月１日１１時３５分」に第２携帯電話機２と通信を行ったことが分かる。これらのことから、第２送受信制御手段２０が最近の受信日時として図５に示す中継履歴データベース１２に記録されている「２０１０年９月１日１１時４０分」を選択し、その最近の受信日時の記録された図５に示す中継履歴データベース１２の発信者の欄における第１携帯電話機１の電話番号「０９００１２３４５６７」を第２送受信制御手段２０が通話をしようとする相手先の電話番号として特定し、その特定した通話をしようとする相手先の電話番号を第２送受信制御手段２０が第１送受信制御手段１９に転送し、ステップ２０３に進む。
【００３９】
ステップ２０３では、第１送受信制御手段１９が第４携帯電話機４に対して発信の動作をするように制御し、第４携帯電話機４が上記ステップ２０２で特定した第１携帯電話機１の電話番号を発信し、第１携帯電話機１と第４携帯電話機４とが第１通信回線７で接続され、ステップ２０４に進む。
【００４０】
ステップ２０４では、第１携帯電話機１がオフフックされ、そのオフフック信号が第４携帯電話機４から中継制御部１０に入力されると、第１送受信制御手段１９が第４携帯電話機４を制御し、第４携帯電話機４が第２通信回線１４から接続を要求してきた電話番号として中継履歴データベース１２に記録されている第６携帯電話機６の電話番号を音声又は表示で知らせて接続するかどうかの問い合わせを第１携帯電話機１に送信し、第１携帯電話機１が第１送受信制御手段１９に「接続」又は「切断」又は「録音」の応答を指示する。例えば、「接続」の場合には第１携帯電話機１を所持する人が第１携帯電話機１の「♯」釦を押し、「切断」の場合には第１携帯電話機１を所持する人が第１携帯電話機１の「＊」釦を押し、「録音」の場合には第１携帯電話機１を所持する人が第１携帯電話機１の置数「５」釦を押し、ステップ２０５に進む。
【００４１】
ステップ２０５では、中継制御部１０が接続するかしないかを判断する。つまり、ステップ２０５では、第１携帯電話機１からの指示が第４携帯電話機４から第１送受信制御手段１９に転送される。そして、第１送受信制御手段１９が第１携帯電話機１からの指示により接続するかしないかを判断する。ここで、上記指示が「接続」のときには、第１送受信制御手段１９が接続すると判断し、ステップ２０５がＹＥＳとなり、ステップ２０６に進む。また、上記指示が「切断」又は「録音」のときには、第１送受信制御手段１９が接続しないと判断し、ステップ２０５がＮＯとなり、ステップ２０９に進む。
【００４２】
ステップ２０６では、第１送受信制御手段１９がステップ２０５での判断である「接続」を第２送受信制御手段２０に転送し、第１送受信制御手段１９と第２送受信制御手段２０とが第４携帯電話機４と第５携帯電話機５との接続を維持し、第１携帯電話機１と第６携帯電話機６とが中継機器９と第１通信回線７及び第２通信回線１４を経由して通話可能となり、ステップ２０７に進む。ステップ２０７では、中継制御部１０が切断するかしないかを判断する。つまり、ステップ２０７において、第１送受信制御手段１９が第１携帯電話機１からオンフック信号が入力されていないと判断しかつ第２送受信制御手段２０が第６携帯電話機６からオンフック信号が入力されていなと判断している場合は、第１携帯電話機１と第６携帯電話機６とによる通話可能な状態が継続しているので、ステップ２０７がＮＯとなり、ステップ２０６に戻る。逆に、ステップ２０７において、第１送受信制御手段１９が第１携帯電話機１からオンフック信号が入力されたと判断するか又は第２送受信制御手段２０が第６携帯電話機６からオンフック信号が入力されたと判断した場合は、第１携帯電話機１と第６携帯電話機６とによる通話可能な状態が終了したので、ステップ２０７がＹＥＳとなり、ステップ２０８に進む。
【００４３】
一方、ステップ２０９では、中継制御部１０が切断するかしないかを判断する。つまり、第１送受信制御手段１９が上記第４携帯電話機４から転送されたステップ２０４における第１携帯電話機１からの指示により切断するかしないかを判断する。ここで、上記指示が「切断」のときには、第１送受信制御手段１９が切断すると判断し、ステップ２０９がＹＥＳとなり、ステップ２０８に進む。また、上記指示が「録音」のときには、ステップ２０９において、第１送受信制御手段１９が上記第４携帯電話機４から転送されたステップ２０４における第１携帯電話機１からの指示により切断しないと判断し、ステップ２０９がＮＯとなり、ステップ２１０に進む。ステップ２１０では、第２送受信制御手段２０が第６携帯電話機６から送信された音声を不揮発性メモリーに録音してステップ２０８に進む。ステップ２０８では、第１送受信制御手段１９がステップ２０９での判断である「切断」又はステップ２０９での判断である「切断」を第２送受信制御手段２０に転送し、第１送受信制御手段１９が第４携帯電話機４をオンフックするように制御し、第２送受信制御手段２０が第５携帯電話機５をオンフックするように制御する。これにより、第１携帯電話機１と第６携帯電話機６との通話が終了する。
【００４４】
図８を参照し、回線構築設定手段２１について説明する。回線構築設定手段２１は、第６携帯電話機６から第１通信回線グループ８に電話が掛けられた場合に第１通信回線グループ８のどの携帯電話機に回線を接続するかということを、回線の構築を行う人の操作で中継機器９にあらかじめ構築しておくものである。例えば、回線の構築を行う人が中継機器９の操作部２３を操作して「第１携帯電話機１から第２携帯電話機２、第３携帯電話機３へと順番に掛ける」順送り方式、「電話を掛ける順番を決めておく」指定順方式、「最近の履歴から掛ける」過去順方式を中継機器９のＲＯＭ１７（図２参照）の書き換え可能な部分に格納された回線構築データベース１３に記録させることによりあらかじめ構築し、その構築された順送り方式、指定順方式、過去順方式のいずれか１つが実行されるように回線構築データベース１３に設定しておく。
【００４５】
図８において、具体的には、順送り方式について説明する。回線の構築を行う人が操作部２３を操作して例えば順送り方式を選択すると、順送り方式の選択されたことを示す信号が操作部２３から回線構築設定手段２１に出力され、回線構築設定手段２１が回線構築データベース１３の中から順送りデータベース２４を選択して中継機器９のディスプレイ２７に表示する。このディスプレイ２７に表示された順送りデータベース２４には、順番の欄に「１」、「２」、「３」、「４」というように順番を示す数字と、各順番を示す数字の右側が空白になった電話機特定情報の欄が表示されている。そして、先ず、回線の構築を行う人が操作部２３を操作してディスプレイ２７の中の順送りデータベース２４の順番「１」の右側の空白に「第１携帯電話機１：０９００１２３４５６７」を登録し、次に、回線の構築を行う人が操作部２３を操作してディスプレイ２７の中の順送りデータベース２４の順番「２」の右側の空白に「第２携帯電話機２：０９００１２３４５６８」を登録し、その後、回線の構築を行う人が操作部２３を操作してディスプレイ２７の中の順送りデータベース２４の順番「３」の右側の空白に「第３携帯電話機３：０９００１２３４５６９」を登録し、さらに、回線の構築を行う人が操作部２３を操作してディスプレイ２７の中の指定順データベース２５の順番「４」の右側の空白に第１通信回線グループ８に所属する「図外の携帯電話機とその電話番号」を「第４携帯電話機：・・・・・」で示すように登録するというように、電話機特定情報の欄における空白に第１通信回線グループ８を構成する複数個の携帯電話機とその電話番号とを登録する。その後、回線の構築を行う人が操作部２３の決定釦を操作すると、上記登録された電話機特定情報の欄における空白に第１通信回線グループ８を構成する複数個の携帯電話機とその電話番号との登録された順送りデータベース２４が回線構築データベース１３に記録されかつディスプレイ２７から消去されて、順送り方式の構築が終了する。
【００４６】
また、指定順方式について説明する。回線の構築を行う人が操作部２３を操作して例えば指定順方式を選択すると、指定順方式の選択されたことを示す信号が操作部２３から回線構築設定手段２１に出力され、回線構築設定手段２１が回線構築データベース１３の中から指定順データベース２５を選択してディスプレイ２７に表示する。このディスプレイ２７に表示された指定順データベース２５には、順番の欄に「１」、「２」、「３」、「４」というように順番を示す数字と、各順番を示す数字の右側が空白になった電話機特定情報の欄が表示されている。そして、先ず、回線の構築を行う人が操作部２３を操作してディスプレイ２７の中の指定順データベース２５の順番「１」の右側の空白に「第１携帯電話機１：０９００１２３４５６７」を登録し、次に、回線の構築を行う人が操作部２３を操作してディスプレイ２７の中の指定順データベース２５の順番「２」の右側の空白に「第３携帯電話機３：０９００１２３４５６９」を登録し、その後、回線の構築を行う人が操作部２３を操作してディスプレイ２７の中の指定順データベース２５の順番「３」の右側の空白に第１通信回線グループ８に所属する「図外の携帯電話機とその電話番号」例えば、第４携帯電話機４を「第４携帯電話機：・・・・・」で示すように登録し、さらに、回線の構築を行う人が操作部２３を操作してディスプレイ２７の中の指定順データベース２５の順番「４」の右側の空白に第２携帯電話機２：０９００１２３４５６８」を登録するというように、電話機特定情報の欄における空白に第１通信回線グループ８を構成する複数個の携帯電話機とその電話番号とを登録する。その後、回線の構築を行う人が操作部２３の決定釦を操作すると、上記登録された電話機特定情報の欄における空白に第１通信回線グループ８を構成する複数個の携帯電話機とその電話番号との登録された指定順データベース２５が回線構築データベース１３に記録されかつディスプレイ２７から消去されて、指定順方式の構築が終了する。
【００４７】
また、過去順方式について説明する。過去順方式は回線の構築を行う人により構築されるものではなく、回線の構築を行う人が操作部２３を操作して過去順方式を実行するように設定することにより、中継履歴データベース１２を利用して過去順データベース２６が構築される。例えば、中継履歴データベース１２が図５及び図６に示すように記録されている場合を例として説明する。図５に示す中継履歴データベース１２と図６に示す中継履歴データベース１２とを比較すると、図５の中継履歴データベース１２の最下段に示す第６携帯電話機６の電話番号「０８０８７２００００１」が受信日時「２０１０年９月１日１１時４０分」に第１携帯電話機１と通信を行ったことが最近の中継履歴情報として特定されるので、当該特定された最近の中継履歴情報から第１携帯電話機１とその電話番号とを抽出して図８の過去順データベース２６の順番「１」の右側の空白に「第１携帯電話機１：０９００１２３４５６７」を登録し、また、図５に示す中継履歴データベース１２と図６に示す中継履歴データベース１２とを比較すると、図６の中継履歴データベース１２の最下段に示す第６携帯電話機６の電話番号「０８０８７２００００１」が受信日時「２０１０年９月１日１１時３５分」に第２携帯電話機２と通信を行ったことが次の中継履歴情報として特定されるので、当該特定された次の中継履歴情報から第２携帯電話機２とその電話番号とを抽出して図８の過去順データベース２６の順番「２」の右側の空白に「第２携帯電話機２：０９００１２３４５６８」を登録するというように、電話機特定情報の欄における空白に第１通信回線グループ８を構成する複数個の携帯電話機とその電話番号とを登録する。この過去順データベース２６は、第１通信回線グループ８から第６携帯電話機６なる外部への携帯電話機への中継履歴情報が更新されるのに伴い書き換えられる。
【００４８】
そして、回線の構築を行う人により順送り方式、指定順方式、過去順方式のいずれか１つが実行されるように中継機器９の回線構築データベース１３に設定された状態において、図７のステップ２０２において中継制御部１０が中継するかしないかを判断する場合に、第２送受信制御手段２０は第６携帯電話機６の電話番号が中継履歴データベース１２に設定された順送り方式、指定順方式、過去順方式のいずれか１つに従って順送りデータベース２４、指定順データベース２５、過去順データベース２６のいずれか１つを抽出して通話をしようとする相手先の電話番号を特定する。
【００４９】
例えば、図８に示す順送りデータベース２４が抽出されている場合は、第２送受信制御手段２０が順送りデータベース２４の順番「１」の「第１携帯電話機１：０９００１２３４５６７」を通話をしようとする相手先の電話番号として特定する。また、指定順データベース２５が抽出されている場合は、第２送受信制御手段２０が指定順データベース２５の順番「１」の「第１携帯電話機１：０９００１２３４５６７」を通話をしようとする相手先の電話番号として特定する。また、過去順データベース２６が抽出されている場合は、第２送受信制御手段２０が過去順データベース２６の順番「１」の「第１携帯電話機１：０９００１２３４５６７」を通話をしようとする相手先の電話番号として特定する。
【００５０】
なお、順送りデータベース２４、指定順データベース２５、過去順データベース２６のいずれか１つを抽出して通話をしようとする相手先の電話番号を特定する場合であっても、順位「１」が話中又は回線の接続を拒否された場合には順位「２」に記録されている携帯電話機の電話番号を特定し、順位「２」が話中又は回線の接続を拒否された場合には順位「３」記録されている携帯電話機の電話番号を特定するというように、順位の順番を特定する。そして、携帯電話機の電話番号の登録されていない順位に到達した場合又は第６携帯電話機６がオフフックされた場合に、第６携帯電話機６から第１通信回線グループ８への通信を終了する。
【００５１】
「実施形態２」
図９を参照し、第２実施形態に係る中継機器９について説明する。第２実施形態に係る電話中継機器９は、第４携帯電話機４が通常の市販される携帯電話機により構成され、当該第４携帯電話機４における図外の外部接続端子と中継機器９における図外の外部接続端子とが互いに電話線のような通信ケーブル２８で接続されたことが図２に示す第１実施形態の中継機器９の構成と相違する。これにより、通常の市販される携帯電話機を通信契約の成された第４携帯電話機４として購入して通信ケーブル２８で中継機器９に接続すれば、電話中継装置が完成する。なお、動作は第１実施形態と同じなので詳細な説明は省略する。
【００５２】
「実施形態３」
図１０を参照し、第３実施形態に係る中継機器９について説明する。第３実施形態に係る電話中継機器９は、第４携帯電話機４及び第５携帯電話機５が通常の市販される携帯電話機により構成され、当該第４携帯電話機４における図外の外部接続端子と中継機器９における図外の外部接続端子とが互いに電話線のような通信ケーブル２８で接続され、上記第５携帯電話機５における図外の外部接続端子と中継機器９における図外の外部接続端子とが互いに電話線のような通信ケーブル２９で接続されたことが図２に示す第１実施形態の中継機器９の構成と相違する。これにより、通常の市販される携帯電話機を通信契約の成された第４携帯電話機４及び第５携帯電話機５として購入して通信ケーブル２８；２９で中継機器９に接続すれば、電話中継装置が完成する。なお、動作は第１実施形態と同じなので詳細な説明は省略する。
【００５３】
「実施形態４」
図１１を参照し、第４実施形態に係る電話中継装置について説明する。第４実施形態に係る電話中継装置は、第１通信回線グループ８、中継機器９、外部の電話機として用いられる全部の電話機が加入電話機により構成されたことが図１に示す第１実施形態の通話中継装置の構成と相違する。以下、第１通信回線用第１加入電話機３１を第１加入電話機３１と表現し、第１通信回線用第２加入電話機３２を第２加入電話機３２と表現し、第１通信回線用第３加入電話機３３を第３加入電話機３３と表現し、第１通信回線用第４加入電話機３４を第４加入電話機３４と表現し、第２通信回線用第５加入電話機３５を第５加入電話機３５と表現し、第２通信回線用第６加入電話機３６を第６加入電話機３６と表現する。なお、動作は第１実施形態と同じなので詳細な説明は省略する。
【００５４】
「実施形態５」
図１２を参照し、第５実施形態に係る電話中継装置について説明する。第５実施形態に係る電話中継装置は、第１通信回線グループ８に第１乃至第３加入電話機３１乃至３３が用いられ、外部の電話機に第６携帯電話機６が用いられ、中継機器９に第４加入電話機３４と第５携帯電話機５とが用いられたことが図１に示す第１実施形態の通話中継装置の構成と相違する。なお、動作は第１実施形態と同じなので詳細な説明は省略する。
【００５５】
「実施形態６」
図１３を参照し、第６実施形態に係る電話中継装置について説明する。第６実施形態に係る電話中継装置は、第１通信回線グループ８に第１乃至第３携帯電話機１乃至３が用いられ、外部の電話機に第６加入電話機３６が用いられ、中継機器９に第４携帯電話機４と第５加入電話機３５とが用いられたことが図１に示す第１実施形態の通話中継装置の構成と相違する。なお、動作は第１実施形態と同じなので詳細な説明は省略する。
【００５６】
「実施形態７」
図１４を参照し、第７実施形態に係る電話中継装置について説明する。第７実施形態に係る電話中継装置は、第１通信回線７と第３通信回線３８とがゲートウェイとしての関門交換機３９で接続され、第３通信回線３８を使用する第３通信電話機が第７加入電話機３７により構成さる。第７加入電話機３７は、第３通信回線３８と関門交換機３９及び第１通信回線７を経由して中継機器９の第４携帯電話機４と通信ができるようになっていることが図１に示す第１実施形態の通話中継装置の構成と相違する。なお、第７加入電話機３７を図外の第７携帯電話機としても適用可能である。なお、動作は第１実施形態と同じなので詳細な説明は省略する。
【００５７】
なお、第１乃至第３加入電話機３１乃至３３と第６加入電話機３６と第７加入電話機３７は通常に市販される加入電話機と同じ構成であり、第４加入電話機３４と第５加入電話機３５とは通常に市販される加入電話機と同様の構成でも通常に市販される加入電話機からスピーカーとマイク及びディスプレイ２７を除去した構成でもよい。また、この明細書では、携帯電話機としてはＰＨＳも含まれる概念であり、加入電話機としてはＩＰ電話機も含まれる概念である。
【符号の説明】
【００５８】
１は第１携帯電話機、２は第２携帯電話機、３は第３携帯電話機、４は第４携帯電話機、５は第５携帯電話機、６は第６携帯電話機、７は第１通信回線、８は第１通信回線グループ、９は中継機器、１０は中継制御部、１１は中継実行データベース、１２は中継履歴データベース、１３は回線構築データベース、１４は第２通信回線、１５は欠番、１６はＣＰＵ、１７はＲＯＭ、１８はＲＡＭ、１９は第１送受信制御手段、２０は第２送受信制御手段、２１は回線構築設定手段、２２は欠番、２３は操作部、２４は順送りデータベース、２５は指定順データベース、２６は過去順データベース、２７はディスプレイ、２８；２９は通信ケーブル、３０は欠番、３１は第１加入電話機、３２は第２加入電話機、３３は第３加入電話機、３４は第４加入電話機、３５は第５加入電話機、３６は第６加入電話機、３７は第７加入電話機、３８は第３通信回線、３９は関門交換機、４０は欠番、４１は操作部、４２は転送したい人の電話番号メモリー部、４３は転送先電話番号メモリー部、４４は制御部。
【図１】
0005627433.tif 000002
【図２】
0005627433.tif 000003
【図３】
0005627433.tif 000004
【図４】
0005627433.tif 000005
【図５】
0005627433.tif 000006
【図６】
0005627433.tif 000007
【図７】
0005627433.tif 000008
【図８】
0005627433.tif 000009
【図９】
0005627433.tif 000010
【図１０】
0005627433.tif 000011
【図１１】
0005627433.tif 000012
【図１２】
0005627433.tif 000013
【図１３】
0005627433.tif 000014
【図１４】
0005627433.tif 000015
【図１５】
0005627433.tif 000016